【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
可搬性の無線通信デバイスと通信するための無線通信手段を有し、受信した情報に基づいて所定の処理を実行する無線通信装置であって、
無線通信デバイスと通信を開始するため、認証処理の開始を指示する指示手段と、
該指示手段で認証開始が指示された場合、前記無線通信手段により、照合データを含む探索信号を発信する発信手段と、
該発信手段で前記探索信号を発信した後、前記無線通信手段によって唯一の無線通信デバイスから応答信号を受信し、当該応答信号中に前記照合データが含まれる場合、前記無線通信デバイスに認証情報を送信する認証手段と
を備えることを特徴とする無線通信装置。
【請求項２】
可搬性の無線通信デバイスと通信するための無線通信手段を有し、受信した情報に基づいて所定の処理を実行する無線通信装置であって、
無線通信デバイスと通信を開始するため、認証処理の開始を指示する指示手段と、
該指示手段で認証開始が指示された場合、前記無線通信手段により、応答時間隔データを含む探索信号を発信する発信手段と、
該発信手段で前記探索信号を発信した後、前記無線通信手段によって唯一の無線通信デバイスから前記応答時間間隔で応答信号を受信した場合、前記無線通信デバイスに認証情報を送信する認証手段と
を備えることを特徴とする無線通信装置。
【請求項３】
可搬性の無線通信デバイスと通信するための無線通信手段を有し、受信した情報に基づいて所定の処理を実行する無線通信装置であって、
前記無線通信手段で受信する信号強度を検出する検出手段と、
無線通信デバイスと通信を開始するため、認証処理の開始を指示する指示手段と、
該指示手段で認証開始が指示された場合、前記無線通信手段により、所定の探索信号を発信する発信手段と、
該発信手段で前記探索信号を発信した後、前記無線通信手段によって唯一の無線通信デバイスから複数回の応答信号を受信し、且つ、各応答信号の受信強度差の絶対値が所定閾値Ｔ１より大きく、所定閾値Ｔ２未満（Ｔ２＞Ｔ１＞０）の場合、前記無線通信デバイスに認証情報を送信する認証手段と
を備えることを特徴とする無線通信装置。
【請求項４】
可搬性の無線通信デバイスと通信するための無線通信手段を有し、受信した情報に基づいて所定の処理を実行する無線通信装置であって、
無線通信デバイスと通信を開始するため、認証処理の開始を指示する指示手段と、
該指示手段で認証開始が指示された場合、前記無線通信手段に対し、認証後の通信可能エリアより狭い認証エリアに設定する設定手段と、
該設定手段で前記認証エリアに設定した後、前記無線通信手段により、所定探索信号を発信する発信手段と、
該発信手段で前記探索信号を発信した後、前記無線通信手段によって唯一の無線通信デバイスから応答信号を受信した場合、当該無線通信デバイスに認証情報を送信する認証手段と
を備えることを特徴とする無線通信装置。
【請求項５】
可搬性の無線通信デバイスと通信し、所定の処理を実行する無線通信装置であって、
認証情報に基づく通常モードと、当該通常モードよりも狭い認証用のエリア範囲内で通信する認証モードとを切り換え可能な無線通信手段と、
前記無線通信手段で受信する信号強度を検出する検出手段と、
無線通信デバイスと通信を開始するため、認証処理の開始を指示する指示手段と、
該指示手段で認証開始が指示された場合、前記無線通信手段を前記認証モードに設定し、照合データ並びに応答時間間隔データを含む探索信号を発信する発信手段と、
該発信手段で前記探索信号を発信した後、前記無線通信手段によって、唯一の無線通信デバイスから前記応答時間間隔で、前記照合データを含む応答信号を受信し、且つ、前記検出手段で検出した各応答信号の受信強度差の絶対値が所定閾値Ｔ１より大きく、所定閾値Ｔ２未満（Ｔ２＞Ｔ１＞０）の場合、前記無線通信デバイスに認証情報を送信する認証手段と
を備えることを特徴とする無線通信装置。
【請求項６】
所定の無線通信装置と通信し、処理対象の情報を送信するための無線通信手段を備える電子機器であって、
前記無線通信装置と通信を開始するため、認証処理の開始を指示する指示手段と、
該指示手段で認証開始が指示された場合、探索信号を前記無線通信手段で受信する第１の受信手段と、
受信した探索信号中に含まれる照合データを含む応答信号を前記無線通信手段を介して送信する送信手段と、
該送信手段で送信した後、前記無線通信手段を介して認証情報を受信する第２の受信手段とを備え、
前記第２の受信手段で認証情報を受信した場合、これ以降は認証情報に基づいて前記無線通信装置と通信することを特徴とする電子機器。
【請求項７】
所定の無線通信装置と通信し、処理対象の情報を送信するための無線通信手段を備える電子機器であって、
前記無線通信装置と通信を開始するため、認証処理の開始を指示する指示手段と、
該指示手段で認証開始が指示された場合、前記無線通信手段に対し、認証後の通信可能エリアより狭い認証エリアに設定する設定手段と、
該設定手段で前記認証エリアに設定した後、前記無線通信手段により、所定探索信号を受信する第１の受信手段と、
該第１の受信手段の受信に応じて応答信号を前記無線通信手段を介して送信する送信手段と、
該送信手段で送信した後、前記無線通信手段を介して認証情報を受信する第２の受信手段とを備え、
前記第２の受信手段で認証情報を受信した場合、これ以降は認証情報に基づいて前記無線通信装置と通信することを特徴とする電子機器。
【請求項８】
所定の無線通信装置と通信し、処理対象の情報を送信するための無線通信手段を備える電子機器であって、
前記無線通信装置と通信を開始するため、認証処理の開始を指示する指示手段と、
該指示手段で認証開始が指示された場合、前記無線通信手段に対し、認証後の通信可能エリアより狭い認証エリアに設定する設定手段と、
該設定手段で前記認証エリアに設定した後、前記無線通信手段により、所定探索信号を受信する第１の受信手段と、
受信した探索信号中に含まれる照合データを含む応答信号を、前記無線通信手段を介して、前記探索信号に含まれる時間間隔の指示情報にしたがった時間間隔で送信する送信手段と、
該送信手段で送信した後、前記無線通信手段を介して認証情報を受信する第２の受信手段とを備え、
前記第２の受信手段で認証情報を受信した場合、これ以降は認証情報に基づいて前記無線通信装置と通信することを特徴とする電子機器。
【請求項９】
可搬性の無線通信デバイスと通信するための無線通信手段を有し、受信した情報に基づいて所定の処理を実行する無線通信装置の制御方法の制御方法であって、
無線通信デバイスと通信を開始するため、認証処理の開始を指示する指示工程と、
該指示工程で認証開始が指示された場合、前記無線通信手段により、照合データを含む探索信号を発信する発信工程と、
該発信工程で前記探索信号を発信した後、前記無線通信手段によって唯一の無線通信デバイスから応答信号を受信し、当該応答信号中に前記照合データが含まれる場合、前記無線通信デバイスに認証情報を送信する認証工程と
を備えることを特徴とする無線通信装置の制御方法。
【請求項１０】
可搬性の無線通信デバイスと通信するための無線通信手段を有し、受信した情報に基づいて所定の処理を実行する無線通信装置の制御方法であって、
無線通信デバイスと通信を開始するため、認証処理の開始を指示する指示工程と、
該指示工程で認証開始が指示された場合、前記無線通信手段により、応答時間隔データを含む探索信号を発信する発信工程と、
該発信工程で前記探索信号を発信した後、前記無線通信手段によって唯一の無線通信デバイスから前記応答時間間隔で応答信号を受信した場合、前記無線通信デバイスに認証情報を送信する認証工程と
を備えることを特徴とする無線通信装置の制御方法。
【請求項１１】
可搬性の無線通信デバイスと通信するための無線通信手段を有し、受信した情報に基づいて所定の処理を実行する無線通信装置の制御方法であって、
前記無線通信手段で受信する信号強度を検出する検出工程と、
無線通信デバイスと通信を開始するため、認証処理の開始を指示する指示工程と、
該指示工程で認証開始が指示された場合、前記無線通信手段により、所定探索信号を発信する発信工程と、
該発信工程で前記探索信号を発信した後、前記無線通信手段によって唯一の無線通信デバイスから複数回の応答信号を受信し、且つ、各応答信号の受信強度差の絶対値が所定閾値Ｔ１より大きく、所定閾値Ｔ２未満（Ｔ２＞Ｔ１＞０）の場合、前記無線通信デバイスに認証情報を送信する認証工程と
を備えることを特徴とする無線通信装置の制御方法。
【請求項１２】
可搬性の無線通信デバイスと通信するための無線通信手段を有し、受信した情報に基づいて所定の処理を実行する無線通信装置の制御方法であって、
無線通信デバイスと通信を開始するため、認証処理の開始を指示する指示工程と、
該指示工程で認証開始が指示された場合、前記無線通信手段に対し、認証後の通信可能エリアより狭い認証エリアに設定する設定工程と、
該設定工程で前記認証エリアに設定した後、前記無線通信手段により、所定探索信号を発信する発信工程と、
該発信工程で前記探索信号を発信した後、前記無線通信手段によって唯一の無線通信デバイスから応答信号を受信した場合、当該無線通信デバイスに認証情報を送信する認証工程と
を備えることを特徴とする無線通信装置の制御方法。
【請求項１３】
可搬性の無線通信デバイスと通信し、所定の処理を実行する無線通信装置の制御方法であって、
所定の無線通信手段に対し、認証情報に基づく通常モードと、認当該通常モードよりも狭く、認証用のエリア範囲内で通信する認証モードとを切り換え可能な無線通信切り換え工程と、
前記無線通信手段で受信する信号強度を検出する検出工程と、
無線通信デバイスと通信を開始するため、認証処理の開始を指示する指示工程と、
該指示工程で認証開始が指示された場合、前記無線通信手段を前記認証モードに設定し、照合データ並びに応答時間間隔データを含む探索信号を発信する発信工程と、
該発信工程で前記探索信号を発信した後、前記無線通信手段によって、唯一の無線通信デバイスから前記応答時間間隔で、前記照合データを含む応答信号を受信し、且つ、前記検出工程で検出した各応答信号の受信強度差の絶対値が所定閾値Ｔ１より大きく、所定閾値Ｔ２未満（Ｔ２＞Ｔ１＞０）の場合、前記無線通信デバイスに認証情報を送信する認証工程と
を備えることを特徴とする無線通信装置の制御方法。
【請求項１４】
所定の無線通信装置と通信し、処理対象の情報を送信するための無線通信手段を備える電子機器の制御方法であって、
前記無線通信装置と通信を開始するため、認証処理の開始を指示する指示工程と、
該指示工程で認証開始が指示された場合、探索信号を前記無線通信手段で受信する第１の受信工程と、
受信した探索信号中に含まれる照合データを含む応答信号を前記無線通信手段を介して送信する送信工程と、
該送信工程で送信した後、前記無線通信手段を介して認証情報を受信する第２の受信工程とを備え、
前記第２の受信工程で認証情報を受信した場合、これ以降は認証情報に基づいて前記無線通信装置と通信することを特徴とする電子機器の制御方法。
【請求項１５】
所定の無線通信装置と通信し、処理対象の情報を送信するための無線通信手段を備える電子機器の制御方法であって、
前記無線通信装置と通信を開始するため、認証処理の開始を指示する指示工程と、
該指示工程で認証開始が指示された場合、前記無線通信手段に対し、認証後の通信可能エリアより狭い認証エリアに設定する設定工程と、
該設定工程で前記認証エリアに設定した後、前記無線通信手段により、所定探索信号を受信する第１の受信工程と、
該第１の受信工程の受信に応じて応答信号を前記無線通信手段を介して送信する送信工程と、
該送信工程で送信した後、前記無線通信手段を介して認証情報を受信する第２の受信工程とを備え、
前記第２の受信工程で認証情報を受信した場合、これ以降は認証情報に基づいて前記無線通信装置と通信することを特徴とする電子機器の制御方法。
【請求項１６】
所定の無線通信装置と通信し、処理対象の情報を送信するための無線通信手段を備える電子機器の制御方法であって、
前記無線通信装置と通信を開始するため、認証処理の開始を指示する指示工程と、
該指示工程で認証開始が指示された場合、前記無線通信手段に対し、認証後の通信可能エリアより狭い認証エリアに設定する設定工程と、
該設定工程で前記認証エリアに設定した後、前記無線通信手段により、所定探索信号を受信する第１の受信工程と、
受信した探索信号中に含まれる照合データを含む応答信号を、前記無線通信手段を介して、前記探索信号に含まれる時間間隔の指示情報にしたがった時間間隔で送信する送信工程と、
該送信工程で送信した後、前記無線通信手段を介して認証情報を受信する第２の受信工程とを備え、
前記第２の受信工程で認証情報を受信した場合、これ以降は認証情報に基づいて前記無線通信装置と通信することを特徴とする電子機器の制御方法。
【請求項１７】
コンピュータが読込み実行することで、前記コンピュータを、可搬性の無線通信デバイスと通信し、所定の処理を実行する無線通信装置として機能させるコンピュータプログラムであって、
認証情報に基づく通常モードと、認当該通常モードよりも狭く、認証用のエリア範囲内で通信する認証モードとを切り換え可能な無線通信手段と、
前記無線通信手段で受信する信号強度を検出する検出手段と、
無線通信デバイスと通信を開始するため、認証処理の開始を指示する指示手段と、
該指示手段で認証開始が指示された場合、前記無線通信手段を前記認証モードに設定し、照合データ並びに応答時間間隔データを含む探索信号を発信する発信手段と、
該発信手段で前記探索信号を発信した後、前記無線通信手段によって、唯一の無線通信デバイスから前記応答時間間隔で、前記照合データを含む応答信号を受信し、且つ、前記検出手段で検出した各応答信号の受信強度差の絶対値が所定閾値Ｔ１より大きく、所定閾値Ｔ２未満（Ｔ２＞Ｔ１＞０）の場合、前記無線通信デバイスに認証情報を送信する認証手段
として機能させることを特徴とするコンピュータプログラム。
【請求項１８】
コンピュータが読込み実行することで、前記コンピュータを、所定の無線通信装置と通信し、処理対象の情報を送信するための無線通信手段を備える電子機器として機能させるコンピュータプログラムであって、
前記無線通信装置と通信を開始するため、認証処理の開始を指示する指示手段と、
該指示手段で認証開始が指示された場合、前記無線通信手段に対し、認証後の通信可能エリアより狭い認証エリアに設定する設定手段と、
該設定手段で前記認証エリアに設定した後、前記無線通信手段により、所定探索信号を受信する第１の受信手段と、
受信した探索信号中に含まれる照合データを含む応答信号を、前記無線通信手段を介して、前記探索信号に含まれる時間間隔の指示情報にしたがった時間間隔で送信する送信手段と、
該送信手段で送信した後、前記無線通信手段を介して認証情報を受信する第２の受信手段
として機能させ、前記第２の受信手段で認証情報を受信した場合、これ以降は認証情報に基づいて前記無線通信装置と通信することを特徴とするコンピュータプログラム。
【請求項１９】
請求項１７または請求項１８に記載のコンピュータプログラムを格納したことを特徴とするコンピュータ可読記憶媒体。